(57)【要約】【課題】本体の開口部から本体内に薬液や水分が侵入するのを防止して薬液が本体内の要素に対して固着するのを阻止することができるシリンジポンプを提供する。【解決手段】シリンジポンプ１は、本体フランジ検出部６００を備え、この本体フランジ検出部６００は、収容部８の開口部６５０を通じて本体フランジ押さえ部材５００側に突き出して本体フランジ押さえ部材５００の移動に伴って移動する移動部材６０１と、収容部８の開口部６５０を通じて収容部６内に液体が侵入するのを阻止する液密部材６１０を有する。【選択図】図８
2013153863.tif 000002
【特許請求の範囲】
【請求項１】
シリンジを装着して前記薬液を患者に送液するシリンジポンプであって、
前記シリンジのシリンジ本体を設定するシリンジ載置部は、
前記シリンジ本体を収容する収容部と、
前記シリンジ本体を前記収容部に収容した状態で、弾性変形して前記シリンジ本体の本
体フランジを前記収容部との間で着脱可能に押さえる本体フランジ押さえ部材と、
前記収容部と前記本体フランジ押さえ部材との間に前記本体フランジがはめ込まれるのに伴って生じる前記本体フランジ押さえ部材の移動により、前記本体フランジがはめ込まれたことを検出する本体フランジ検出部と
を備え、
本体フランジ検出部は、
前記収容部の開口部を通じて前記本体フランジ押さえ部材側に突き出されており、前記本体フランジ押さえ部材の移動に伴って移動する移動部材と、
前記収容部の前記開口部から前記収容部内に液体が侵入するのを阻止する液密部材と
を有することを特徴とするシリンジポンプ。
【請求項２】
前記液密部材は、前記開口部に配置されており、前記移動部材の周囲部に連結されることで前記移動部材の周囲部と前記開口部の内周部との間を塞いで前記移動部材の移動に伴って弾性変形する連結部分を有することを特徴とする請求項１に記載のシリンジポンプ。
【請求項３】
前記移動部材は、前記本体フランジ押さえ部材に突き当たっている先端部を有し、前記液密部材は、前記開口部と前記移動部材の前記先端部とを覆っていることを特徴とする請求項１に記載のシリンジポンプ。
【請求項４】
前記液密部材は、前記開口部内に配置され、前記開口部の内周面と前記移動部材の外周面との間を液密状態に保持しているリング状の部材であることを特徴とする請求項１に記載のシリンジポンプ。
【請求項５】
前記シリンジ載置部に設定された前記シリンジ本体のシリンジ押子を押して前記シリンジ本体内の前記薬液を押し出すシリンジ押子駆動部を備えることを特徴とする請求項１ないし４のいずれかに記載のシリンジポンプ。
【請求項６】
前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする請求項５に記載のシリンジポンプ。
【発明の詳細な説明】
【技術分野】
【０００１】
本発明は、シリンジを装着してこのシリンジ内の薬液を患者へ送液するためのシリンジポンプに関する。
【背景技術】
【０００２】
シリンジポンプは、例えば集中治療室（ＩＣＵ）等で使用されて、患者に対して抗がん剤、麻酔剤、化学療法剤、輸血等、栄養剤等の薬液の送液処置を、高い精度で比較的長時間行うことに用いられている。シリンジポンプの薬液の流量制御は、他の輸液ポンプに比較して精密で優れている。
すなわち、薬液を充填したシリンジ本体は、シリンジポンプに対してクランプ部材を用いてシリンジポンプの筐体に対して動かないようにセットされ、シリンジポンプは、シリンジ押子を押圧してシリンジ本体内の薬液を正確に患者側に送液するようになっている。
【０００３】
シリンジポンプを使用する治療室や手術室では、異なる収容量を有する複数種類のシリンジが予め用意されている。医療従事者は、これらのシリンジから必要とする収容量のシリンジを選択して、選択された収容量のシリンジを、上述したシリンジポンプに対して装着する。
シリンジがシリンジポンプに装着される場合には、シリンジ本体の外周面がシリンジポンプの凹部の内面に密着されるとともに、シリンジの本体フランジがシリンジポンプのはめ込み部分に対してはめ込まれることで、本体フランジが把持できる。そして、クランプ部材を操作してクランプ部材でシリンジ本体が固定され、モータを駆動することで、シリンジ押子押圧部材がシリンジ押子の押子フランジをシリンジ本体に向けて少しずつ押して、シリンジ本体内の薬液を、チューブを通じて患者に送液することができるようになっている(特許文献１を参照)。
【先行技術文献】
【特許文献】
【０００４】
【特許文献１】特開２０１０−８８５６４号公報
【発明の概要】
【発明が解決しようとする課題】
【０００５】
上述したシリンジポンプでは、医療従事者がシリンジの本体フランジをシリンジポンプのはめ込み部分に対してはめ込むと、この本体フランジがはめ込み部分に正しくはめ込まれたことをシリンジポンプ側で確認する必要がある。この本体フランジが正しくはめ込まれたことを確認するために、本体フランジの検出部が設ける必要がある。
【０００６】
ところで、この種の本体フランジの検出部は、検出用のロッドを有している。検出用のロッドの先端部が、シリンジポンプの本体（筐体）内から、本体の開口部を通じて本体の外側に露出し、本体フランジがはめ込まれると検出用のロッドが移動することで、本体フランジがはめ込まれたことを確認できる構造を採用することが望ましい。
このように、検出用のロッドを露出するための開口部が本体に形成されているので、シリンジポンプを使用する環境下では、薬液や水分がこの開口部を通じて本体内に侵入するおそれがある。もし、薬液が本体内に侵入すると、薬液が本体内の要素に対して固着してシリンジポンプの動作に悪影響を生じることがある。
そこで、本発明は、２．５ｍＬ〜５０ｍＬの薬液収容量のシリンジを使用でき、本体の開口部から本体内に薬液や水分が侵入するのを防止して薬液が本体内の要素に対して固着するのを阻止することができるシリンジポンプを提供することを目的とする。
【課題を解決するための手段】
【０００７】
本発明のシリンジポンプは、シリンジを装着して前記薬液を患者に送液するシリンジポンプであって、前記シリンジのシリンジ本体を設定するシリンジ載置部は、前記シリンジ本体を収容する収容部と、前記シリンジ本体を前記収容部に収容した状態で、弾性変形して前記シリンジ本体の本体フランジを前記収容部との間で着脱可能に押さえる本体フランジ押さえ部材と、前記収容部と前記本体フランジ押さえ部材との間に前記本体フランジがはめ込まれるのに伴って生じる前記本体フランジ押さえ部材の移動により、前記本体フランジがはめ込まれたことを検出する本体フランジ検出部とを備え、本体フランジ検出部は、前記収容部の開口部を通じて前記本体フランジ押さえ部材側に突き出されており、前記本体フランジ押さえ部材の移動に伴って移動する移動部材と、前記収容部の前記開口部から前記収容部内に液体が侵入するのを阻止する液密部材とを有することを特徴とする。
上記構成によれば、本体の開口部から本体内に薬液や水分が侵入するのを防止して薬液が本体内の要素に対して固着するのを阻止することができる。すなわち、液密部材は、移動部材があっても、収容部の開口部から収容部内に液体が侵入するのを防いで、薬液が本体内の要素に対して固着するのを阻止できる。
【０００８】
好ましくは、前記液密部材は、前記開口部に配置されており、前記移動部材の周囲部に連結されることで前記移動部材の周囲部と前記開口部の内周部との間を塞いで前記移動部材の移動に伴って弾性変形する連結部分を有することを特徴とする。
上記構成によれば、液密部材の連結部材は、移動部材があっても、収容部の開口部から収容部内に液体が侵入するのを阻止することができ、薬液が本体内の要素に対して固着するのを阻止できる。
【０００９】
好ましくは、前記移動部材は、前記本体フランジ押さえ部材に突き当たっている先端部を有し、前記液密部材は、前記開口部と前記移動部材の前記先端部とを覆っていることを特徴とする。
上記構成によれば、液密部材は簡単な構造でありながら、移動部材があっても、収容部の開口部から収容部内に液体が侵入するのを阻止することができ、薬液が本体内の要素に対して固着するのを阻止できる。
【００１０】
好ましくは、前記液密部材は、前記開口部内に配置され、前記開口部の内周面と前記移動部材の外周面との間を液密状態に保持しているリング状の部材であることを特徴とする。
上記構成によれば、液密部材は簡単な構造でありながら、移動部材があっても、収容部の開口部から収容部内に液体が侵入するのを阻止することができ、薬液が本体内の要素に対して固着するのを阻止できる。
【００１１】
好ましくは、前記シリンジ載置部に設定された前記シリンジ本体のシリンジ押子を押して前記シリンジ本体内の前記薬液を押し出すシリンジ押子駆動部を備えることを特徴とする。
上記構成によれば、クランプ部材により固定されたシリンジのシリンジ押子は、シリンジ押子駆動部により押すことで、シリンジ本体内の薬液を押し出すことができる。
【００１２】
好ましくは、前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする。
上記構成によれば、医療従事者は、本体の上部分の表示部の情報を確認しながら、シリ
ンジからの薬液の送液作業を行うことができる。そして、医療従事者は、本体の上部分の
表示部の情報を確認しながら、操作パネル部の操作ボタンを操作することができる。
【発明の効果】
【００１３】
本発明は、本体の開口部から本体内に薬液や水分が侵入するのを防止して薬液が本体内の要素に対して固着するのを阻止することができるシリンジポンプを提供することができる。
【図面の簡単な説明】
【００１４】
【図１】本発明のシリンジポンプの実施形態を示す斜視図。
【図２】図１に示すシリンジポンプをＷ方向から見た斜視図。
【図３】複数種類の大きさのシリンジの例を示す斜視図。
【図４】シリンジポンプにおける電気な構成例を示す図。
【図５】図２に示すシリンジ載置部とシリンジ押子駆動部の一部分を示す斜視図。
【図６】図５に示すシリンジ載置部とシリンジ押子駆動部の一部分を、Ｅ方向から拡大した斜視図。
【図７】シリンジの本体フランジが本体フランジ押さえ部材の内面とシリンジ本体保持部の右側側面部との間にはめ込んで固定された状態例を示す図。
【図８】本体フランジ検出部の構造例を示す図。
【図９】本発明の別の実施形態を示す図。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明のシリンジポンプの実施形態を示す斜視図である。図２は、図１に示すシリンジポンプをＷ方向から見た斜視図である。
図１と図２に示すシリンジポンプ１は、２．５ｍＬ〜５０ｍＬの薬液収容量のシリンジを使用でき、例えば集中治療室等で使用され、患者に対して、抗がん剤、麻酔剤、化学療法剤、輸血等、栄養剤等の薬液の微量注入処置を、高い精度で比較的長時間行うことに用いられる薬液注入ポンプである。
【００１６】
図１と図２に示すように、シリンジポンプ１は、例えば薬液を充填したシリンジ２００のシリンジ本体（シリンジ外筒）２０１を、クランプ部材５を用いて動かないようにセットすることができる。図２に示すシリンジ押子駆動部７のモータ１３３が、図２では図示していない送りネジを回転することで、シリンジ押子駆動部７のシリンジ押子押圧部材１０は、シリンジ２００のシリンジ押子２０２をシリンジ本体２０１に対してＴ方向に押圧して、シリンジ本体２０１内の薬液を、図２に示すようにチューブ２０３と留置針２０４等を介して、患者Ｐに対して正確に送液する。このシリンジ押子押圧部材１０は、スライダあるいはシリンジ押子押圧ユニットともいう。
図２に示すように、シリンジポンプ１は、筐体２を有し、この筐体２は耐薬品性を有する成型樹脂材料により一体成型されており、フロントカバー２Ｆとリアカバー２Ｒを接合して組み立てることにより、液密性能を有する箱体として構成されている。これにより、後で説明するように、仮に薬液や水分等がかかってもシリンジポンプ１の内部に侵入するのを防ぐことができる防沫および防滴（防水）処理構造を有している。筐体２は、シリンジポンプ１の本体である。
【００１７】
まず、シリンジポンプ１の筐体２に配置された各要素について説明する。
図１と図２に示すように、シリンジポンプ１は、筐体２と取手２Ｔを有している。筐体２の上部分２Ａには、表示部３と、操作パネル部４が配置されている。筐体２の下部分２Ｂには、シリンジ載置部６とシリンジ押子駆動部７が配置されている。これにより、医療従事者は、筐体２の上部分２Ａの表示部３にカラー表示される情報内容を目視で確認しながら、シリンジ２００からの薬液の送液作業を行うことができる。そして、医療従事者は、筐体２の表示部３にカラー表示される情報内容を確認しながら、操作パネル部４の操作ボタンを操作することができる。
【００１８】
図１と図２に示す表示部３は、カラーグラフィック表示することができるカラー液晶表示装置（ＬＣＤ）である。この表示部３は、筐体２の上部分２Ａの左上位置であって、シリンジ載置部６とシリンジ押子駆動部７の上側に配置されている。操作パネル部４は、筐体２の上部分２Ａにおいて表示部３の右側に配置され、操作パネル部４には、操作ボタンとしては、図示例では、パイロットランプ４Ａ、早送りスイッチボタン４Ｂ、開始スイッチボタン４Ｃ、停止スイッチボタン４Ｄ、メニュー選択ボタン４Ｅ等が配置されている。
【００１９】
図２に示す筐体２の上部分２Ａは、筐体２の上半分の部分である。筐体２の下部分２Ｂは、筐体２の下半分の部分である。
図１と図２に示す例では、シリンジ載置部６とシリンジ押子駆動部７は、Ｘ方向に沿って並べて配置されている。シリンジ載置部６は、複数種類の収容量の異なるシリンジの中から、例えばシリンジ２００を選択して着脱可能にはめ込んで装着することができる。
【００２０】
図１と図２に示すシリンジ載置部６は、収容部８と、本体フランジ押さえ部材５００と、本体フランジ検出部６００を有している。シリンジ載置部６の収容部８は、シリンジ本体２０１を収容する。このシリンジ載置部６の付近には、クランプ部材５と、シリンジ２００の本体フランジ２０９をはめ込んで把持するための本体フランジ押さえ部材５００が配置されている。収容部８は、凹型のシリンジ本体保持部８Ｄを有している。収容部８の左側の端部の壁部分には、チューブ２０３を着脱可能に挟み込むためのチューブ固定部９が形成されている。このチューブ固定部９は、図２に示すようにチューブ２０３の一部を挟み込んで固定する溝部分である。
【００２１】
図１と図２において、医療従事者が、クランプ部材５を操作してシリンジ２００をシリンジ載置部６から取り外す際には、例えばクランプ部材５を図示しないスプリングの力に抗してＹ１方向（手前方向）に引っ張って、しかもＲ１方向に９０度回すことで、クランプ部材５はシリンジ本体２０１の外周面から離れる。これにより、シリンジ本体２０１は、クランプ部材５による固定を解除して、収容部８のシリンジ本体保持部８Ｄから取り出すとともに、チューブ２０３はチューブ固定部９内から取り外すことができる。
また、このクランプ部材５を操作してシリンジ２００をシリンジ載置部６の収容部８に収容して取り付ける際には、クランプ部材５を図示しないスプリングの力に抗してＹ１方向に引っ張ってＲ２方向に９０度回して、スプリングの力によりＹ２方向に戻すことで、シリンジ本体２０１は、収容部８のシリンジ本体保持部８Ｄ内に収容するとともに、チューブ２０３をチューブ固定部９内にはめ込んだ状態で、クランプ部材５により固定することができる。
【００２２】
図１と図２に示すように、シリンジ本体２０１が収容部８のシリンジ本体保持部８Ｄ内に収容して装着されると、シリンジ押子２０２がシリンジ押子駆動部７内に配置される。このシリンジ押子駆動部７は、シリンジ押子押圧部材１０を有している。制御部からの指令によりモータ１３３が駆動すると、このシリンジ押子押圧部材１０は、シリンジ押子２０２の押子フランジ２０５を、シリンジ本体２０１に対して相対的にＴ方向に沿って少しずつ押す。これにより、シリンジ本体２０１内の薬液は、チューブ２０３と留置針２０４を通じて、患者Ｐに対して高い精度で比較的長時間かけて送液することができる。なお、図１と図２におけるＸ方向、Ｙ方向、Ｚ方向は互いに直交しており、Ｚ方向は上下方向である。
【００２３】
図３は、上述した複数種類の大きさのシリンジの例を示す斜視図である。
図１と図２では、最も薬液の収容量が大きいシリンジ２００が固定されている例を示している。図３（Ａ）に示す最も薬液の収容量が大きいシリンジ２００は、シリンジ本体（シリンジ外筒）２０１と、シリンジ押子２０２を有しており、シリンジ本体２０１は本体フランジ２０９を有し、シリンジ押子２０２は押子フランジ２０５を有している。シリンジ本体２０１には、薬液の目盛２１０が形成されている。シリンジ本体２０１の出口部２１１には、フレキシブルなチューブ２０３の一端部が着脱可能に接続される。
【００２４】
図３（Ｂ）に示す薬液の収容量が中くらいのシリンジ３００は、シリンジ本体（シリンジ外筒）３０１と、シリンジ押子３０２を有しており、シリンジ本体３０１は本体フランジ３０９を有し、シリンジ押子３０２は押子フランジ３０５を有している。シリンジ本体３０１には、薬液の目盛３１０が形成されている。シリンジ本体３０１の出口部３１１には、フレキシブルなチューブ２０３の一端部が着脱可能に接続される。
図３（Ｃ）に示す最も薬液の収容量が小さいシリンジ４００は、シリンジ本体（シリンジ外筒）４０１と、シリンジ押子４０２を有しており、シリンジ本体４０１は本体フランジ４０９を有し、シリンジ押子４０２は押子フランジ４０５を有している。シリンジ本体４０１には、薬液の目盛４１０が形成されている。シリンジ本体４０１の出口部４１１には、フレキシブルなチューブ２０３の一端部が着脱可能に接続される。
図３（Ａ）に示すシリンジ２００は、例えば薬液の収容量が１０ｍＬであり、図３（Ｂ）に示すシリンジ３００は、例えば薬液の収容量が５ｍＬであり、図３（Ｃ）に示すシリンジ４００は、例えば薬液の収容量が２．５ｍＬである。
【００２５】
図３に示すように、シリンジ２００，３００，４００の各シリンジ本体２０１，３０１，４０１は、それぞれ大きさが異なり、シリンジ本体の収容量が大きくなるにしたがって、本体フランジ２０９，３０９，４０９のサイズが大きくなっている。シリンジ３００，４００の各シリンジ本体３０１，４０１は、図１と図２に示すシリンジ２００と同様にして、収容部８のシリンジ本体保持部８Ｄ内に収容して固定することができる。しかし、図３では、３種類のシリンジを図示しているが、これに限らず、シリンジが収容できる薬液の収容量は、２．５ｍＬから５０ｍＬ、例えば２０ｍＬ、３０ｍＬ、５０ｍＬ等であっても良い。シリンジポンプ１に対して設定できるシリンジの収容量は、任意に選択できる。
【００２６】
次に、図４を参照して、図１と図２に示すシリンジポンプ１における電気な構成例を説明する。
図４において、シリンジポンプ１は、全体的な動作の制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。クロック１０４は、所定の操作により現在時刻の修正ができ、現在時刻の取得や、所定の送液作業の経過時間の計測、送液の速度制御の基準時間の計測等ができる。
【００２７】
図４に示す制御部１００は、電源スイッチボタン４Ｓと、スイッチ１１１が接続されている。スイッチ１１１は、電源コンバータ部１１２と例えばリチウムイオン電池のような充電池１１３を切り換えることで、電源コンバータ部１１２と充電池１１３のいずれかから制御部１００に電源供給する。電源コンバータ部１１２は、コンセント１１４を介して商用交流電源１１５に接続されている。
図４において、収容部８内には、例えば一対の検出スイッチ１２０，１２１が配置されている。検出スイッチ１２０，１２１は、シリンジ２００のシリンジ本体２０１が、収容部８内に正しく配置されているかどうかを検知して、制御部１００に通知する。ただし、この検出スイッチ１２０，１２１の設定は省略することができる。
【００２８】
図４に示すクランプセンサとしてのポテンションメータ１２２は、クランプ部材５に連結されている。このポテンションメータ１２２は、シリンジ本体２０１（３０１，４０１）をクランプ部材５によりクランプした状態で、クランプ部材５がＹ２方向に関して移動する際のクランプ部材５の移動量を検出することで、どの収容量のシリンジ本体２０１（３０１，４０１）がクランプ部材５によりクランプされているかどうかを、制御部１００に検出信号を送って通知する。制御部１００は、このポテンションメータ１２２からの検出信号によりクランプ部材５のＹ方向に関する移動量を得て、例えば図３に示す複数種類のシリンジ本体２０１，３０１，４０１の内のどのシリンジが装着されているかを判別することができる。
図４に示すシリンジ押子駆動部７のモータ１３３は、制御部１００の指令によりモータドライバ１３４により駆動されると、送りネジ１３５を回転させてシリンジ押子押圧部材１０をＴ方向に移動させる。これにより、シリンジ押子押圧部材１０は、シリンジ押子２０２をＴ方向に押圧して、図２に示すシリンジ本体２０１内の薬液を、チューブ２０３を通じて患者Ｐに対して留置針２０４を介して正確に送液する。
【００２９】
図４において、表示部ドライバ１３０は、制御部１００の指令により表示部３を駆動して、各種情報や報知内容等を表示するようになっている。スピーカ１３１は、制御部１００の指令により各種の報知内容を音声により告知することができる。
制御部１００は、通信ポート１４０を通じて、例えばデスクトップコンピュータのようなコンピュータ１４１に対して双方向に通信可能である。このコンピュータ１４１は、薬液データベース（ＤＢ）１５０に接続されており、薬液データベース１５０に格納されている薬液情報ＭＦは、コンピュータ１４１を介して、制御部１００に取得して、制御部１００の不揮発性メモリ１０３に記憶させることができる。制御部１００は、記憶した薬液情報ＭＦを基にして、表示部３には薬液情報ＭＦ等を表示することができる。
図４において、早送りスイッチボタン４Ｂ、開始スイッチボタン４Ｃ、停止スイッチボタン４Ｄ、メニュー選択ボタン４Ｅは、制御部１００に電気的に接続されている。
この他に、制御部１００には、本体フランジ２０９が、本体フランジ押さえ部材５００（図５から図８を参照）により把持されたことを検出するための検出器としてのフォトカプラセンサ２５０が、電気的に接続されている。このフォトカプラセンサ２５０は、発光素子２５１と、この発光素子２５１からの光を受光する受光素子２５２を有している。
【００３０】
次に、図５と図６を参照して、シリンジ載置部６の詳しい構造を説明する。
図５は、図２に示すシリンジ載置部６とシリンジ押子駆動部７の一部分を示す斜視図である。図６は、図５に示すシリンジ載置部６とシリンジ押子駆動部７の一部分を、Ｅ方向から拡大した斜視図である。図７は、シリンジの本体フランジが本体フランジ押さえ部材の内面とシリンジ本体保持部の右側側面部との間にはめ込んで固定された状態例を示す。
図５に示すシリンジ載置部６は、シリンジ本体２０１を収容する収容部８と、クランプ部材５と、例えばシリンジ２００の本体フランジ２０９（図３を参照）をはめ込んで押さえて把持するための本体フランジ押さえ部材５００と、本体フランジ検出部６００を有している。
【００３１】
図１と図２に示すように、一例として、シリンジ２００のシリンジ本体２０１がシリンジ載置部６に設定され、シリンジ２００のシリンジ本体２０１が、クランプ部材５を用いて固定されている。図５と図６に示すように、シリンジ載置部６の収容部８は、シリンジ本体２０１の一部分もしくは全部を収容することができる凹部であり、収容部８の軸方向はＸ方向に沿っている。シリンジ本体２０１の外周面の一部分が収容部８のシリンジ本体保持部８Ｄの内面に対して密接され、シリンジ本体２０１の外周面の残り部分は、外側に露出されている。
図５と図６に示すように、本体フランジ押さえ部材５００と本体フランジ検出部６００は、本体フランジの把持検出部６５０を構成している。本体フランジの把持検出部６５０は、本体フランジ押さえ部材５００が一例としてシリンジ２００の本体フランジ２０９をはめ込んで把持したことを、確認するために設けられている。本体フランジ検出部６００は、図４に示すフォトカプラセンサ２５０を有している。
【００３２】
図５から図７を参照して、本体フランジ押さえ部材５００の構造例を説明する。
図５と図６に示す本体フランジ押さえ部材５００は、弾性力を発生させるために下部に設けられた弾性変形可能な金属製板バネ部材（不図示）と本体フランジ２０９を押圧する突起部５９９を含み、収容部８のシリンジ本体保持部８Ｄの右側側面部８Ｖに対して、傾き角（θ）は本体フランジ２０９が装着されていない状態で約１０３°で押圧している。（図８（Ａ）参照。）なお、金属製板バネ部材単体では、約１０６°であり、この角度差が本体フランジ２０９を押圧する押圧力となっている。その押圧力は、２．５ｍＬ，５ｍＬ，１０ｍＬ，２０ｍＬ，３０ｍＬ，５０ｍＬシリンジのいずれにおいても１００ｍｍＨｇ（重力落差で１．３６ｍ）の陰圧で動かない程度の力である。
この本体フランジ押さえ部材５００は、ほぼＹ方向とＺ方向で形成される面に配置されている。
本体フランジ押さえ部材５００の先端部５０１は、２つの導入部５０２，５０３と、これらの導入部５０２，５０３の間に形成されている凹部５０４を有している。本体フランジ押さえ部材５００の内面側には、突起部分５９９が形成されている。
図６に示すように、これらの導入部５０２，５０３の内面は、好ましくは先細りになるように傾斜面になっている。これにより、医療従事者は、例えば図２に示すシリンジ２００の本体フランジ２０９を、図７に例示するようにして、２つの導入部５０２，５０３を用いて、本体フランジ押さえ部材５００の内面とシリンジ本体保持部８Ｄの右側側面部８Ｖとの間に、Ｙ２方向に沿って容易に挿入してはめ込んで固定できる。
【００３３】
次に、図５と図６に示す覆い部材としてのブーツ８００の形状例について説明する。
このブーツ８００は、図４に示す送りネジ１３５等の機械要素の周囲を覆っており、伸縮可能な部材である。図５に示すように、ブーツ８００は、収容部８のシリンジ本体保持部８Ｄの右側側面部８Ｖと、シリンジ押子押圧部材１０のカバー部材８０の間に配置されている。ブーツ８００は、図４に示す送りネジ１３５等の機械要素を覆うために防沫構造になっている。これにより、例えばシリンジ本体２０１内の薬液がこぼれたり、上方に配置されている点滴液がこぼれ落ちたり、周辺で用いる消毒液等が飛散しても、送りネジ１３５等の機械要素に対して付着するのを防ぐことができる。
【００３４】
ブーツ８００は、伸縮可能な例えばゴムやプラスチックにより作られており、シリンジ押子押圧部材１０がＸ１方向とＸ２方向に移動するのに伴って、伸張と収縮ができる。図６に例示するように、ブーツ８００は、例えば複数の第１凸部分８１１，８１２，８１３，８１４等と、第１凸部分よりは直径の小さい複数の第２凸部分８２１と、左右の連結部分８３０を有している。これにより、シリンジ押子押圧部材１０が左側に移動されてブーツ８００が収縮されると、第２凸部分８２１がより直径の大きい第１凸部分の間に入り込むので、収縮した状態の長さを小さくできる。このため、同じ直径の凸部分を配列する場合に比べて、シリンジ押子押圧部材１０は、ブーツ８００に邪魔されずにより左側に移動することができ、シリンジ押子押圧部材１０の移動量を増加できる。
【００３５】
次に、図８を参照して、本体フランジ検出部６００の構造例を説明する。
図８は、本体フランジ検出部６００の構造例を示している。図８（Ａ）は、本体フランジ２０９を、本体フランジ押さえ部材５００の内面とシリンジ本体保持部８Ｄの右側側面部８Ｖとの間にはめ込んで固定する前の状態を示し、図８（Ｂ）は、本体フランジ２０９を、本体フランジ押さえ部材５００の内面とシリンジ本体保持部８Ｄの右側側面部８Ｖとの間にはめ込んで固定された状態を示す図である。
図８に示す本体フランジ検出部６００は、図３に示すシリンジ２００，３００，４００の本体フランジ２０９，３０９，４０９のいずれがはめ込まれて固定されても本体フランジを検出することができる。図８に示す例では、本体フランジ検出部６００は、例えばシリンジ２００の本体フランジ２０９を検出する様子を示している。
【００３６】
本体フランジ検出部６００が、例えばシリンジ２００の本体フランジ２０９のはめ込みによる固定を、制御部１００に対して電気的に通知することができる。これにより、この制御部１００は、例えば本体フランジ２０９が確実に固定されていることを、表示部３に表示させることができる。また、制御部１００は、本体フランジ２０９が確実に把持されていることを、例えばスピーカ１３１を通じて、医療従事者に対して音声で報知することができる。このため、医療従事者は、シリンジを正確に装着できたことを、表示部３を目視し、必要に応じてスピーカ１３１から音声により、確実に把握できる。
【００３７】
図８に示すように、本体フランジ検出部６００は、移動部材６０１と、コイルスプリング６０２と、フォトカプラセンサ２５０と、液密部材６１０を有している。移動部材６０１とコイルスプリング６０２とフォトカプラセンサ２５０は、筐体２のシリンジ本体保持部８Ｄの内部に配置されている。移動部材６０１は、例えば金属あるいはプラスチック製の丸棒の部材であり、先端部６２１は、例えば半球状に形成され、他端部６２２は、平坦状に形成されている。移動部材６０１の先端部６２１は、本体フランジ押さえ部材５００の突起部分５９９により常に突き当たっている部分である。 
【００３８】
移動部材６０１は、回転支持部材６２４を有しており、回転支持部材６２４の一端部は回転中心軸６２３に取り付けられ、回転支持部材６２４の他端部は移動部材６０１に固定されている。コイルスプリング６０２の一端部は移動部材６０１に固定され、コイルスプリング６０２の他端部はシリンジ本体保持部８Ｄ側に固定されている。
これにより、移動部材６０１は、回転中心軸６２３を中心として、図８（Ａ）に示す後退した状態から、コイルスプリング６０２の力により、ＷＶ方向に回転して図８（Ｂ）に示す前進した状態に移行できる。先端部６２１が半球状に形成されていることにより、移動部材６０１がＷＶ方向あるいはＷＶ方向とは逆ＷＸ方向に移動しても、先端部６２１は、本体フランジ押さえ部材５００の突起部分５９９に対して円滑に当接することができる。
移動部材６０１の先端部６２１の飛び出し量は、本体フランジ２０９（３０９，４０９）が装着されていない状態で、本体フランジ押さえ部材５００は、筐体から０ｍｍ（突起部分５９９により押圧されているために実質的に飛び出していない）である。
本体フランジ２０９（３０９，４０９）の厚みが最も薄い２．５ｍＬシリンジを装着した場合には、先端部６２１の飛び出し量は０．２ｍｍ程度、フランジ２０９（３０９，４０９）の厚みが最も厚い５０ｍＬシリンジを装着した場合には先端部６２１の飛び出し量は０．５ｍｍ程度である。
シリンジ本体保持部８Ｄの右側側面部８Ｖがストッパとなり、本体フランジ２０９（３０９，４０９）がフランジなし状態で傾き角（θ）は約１０３°、板ばね単体では１０６°程度の傾きであり、本体フランジ２０９（３０９，４０９）が図８（Ｂ）のようにはめ込まれた状態で、必ずシリンジ本体保持部８Ｄの右側側面部８Ｖ筐体に押さえつける設計になっている。
【００３９】
図８（Ａ）に示すように、本体フランジ２０９がはめ込まれていない状態では、移動部材６０１はＷＸ方向に移動しているので、移動部材６０１の他端部６２２は、フォトカプラセンサ２５０の発光素子２５１と受光素子２５２との間に入り込んでいる。このため、発光素子２５１からの光はこの他端部６２２により遮断されていて、発光素子２５１の光は受光部２５２には受光されない。
シリンジの容量が２．５ｍＬ〜５０ｍＬへと大きくなるのに従い、本体フランジ２０９（３０９，４０９）の厚みが大きくなり、移動部材６０１の先端部６２１の飛び出し量が大きくなるのに対応して、光素子２５１からの光が遮断される量が少なくなる。
図８（Ｂ）に示すように、本体フランジ２０９がはめ込まれて把持されている状態では、本体フランジ押さえ部材５００の突起部分５９９がすでにＷＶ方向に移動しているので、移動部材６０１はコイルスプリング６０２の力により回転中心軸６２３を中心としてわずかに回転する。このため、移動部材６０１の他端部６２１は、フォトカプラセンサ２５０の発光素子２５１と受光素子２５２との間から離脱することから、発光素子２５１の光は受光素子２５２に受光される。図３に示すいずれの収容量のシリンジ２００，３００，４００の本体フランジ２０１，３０１，４０１が本体フランジ押さえ部材５００により固定されても、図８（Ｂ）において、発光素子２５１からの光は受光部２５２に受光されるので、受光部２５２は、受光信号ＲＳを制御部１００に送ることができるようになっている。
【００４０】
図８（Ｂ）において、制御部１００は、この受光信号ＲＳを受けることにより、表示部３において、例えば「本体フランジ２０９を正しくはめ込んで把持し、シリンジ２００を装着できたこと」を表示させる。この場合に、制御部１００は、必要に応じて、同時にスピーカ１３１により、「本体フランジ２０９を正しくはめ込んで把持し、シリンジ２００を装着できたこと」を、音声ガイダンスしても良い。これにより、医療従事者は、シリンジ２００を正確に装着できたことを、情報表示と音声ガイダンスの少なくとも一方により確実に把握できる。
なお、図３に示す収容量の異なるシリンジ２００，３００，４００としては、最も収容量の小さいものは例えば２．５ｍＬのシリンジであり、最も収容量の大きいものは例えば５０ｍＬのシリンジである。
【００４１】
次に、図８に示す液密部材６１０について説明する。
図８に示すように、開口部６５０は、シリンジ本体保持部８Ｄの右側側面部８Ｖの壁部分８Ｈに形成されている。この開口部６５０は、壁部分８Ｈを貫通する断面円形状の穴である。液密部材６１０は、この壁部分８Ｈの開口部６５０内にはめ込んで固定されている。開口部６５０内には突起部６５１が半径方向に向けて突出して形成されている。
液密部材６１０は、弾性変形可能な材質、例えばゴムやプラスチックにより作られているリング状の部材であり、開口部６５０の突起部６５１に対してはめ込むことで取れないように固定されている。液密部材６１０は、第１部分６６１と、第２部分６６２と、第３部分６６３を有している。第１部分６６１は、壁部分８Ｈの外面側に位置され、第２部分６６２は、壁部分８Ｈの外面側に位置され、第３部分６６３は、第１部分６６１と第２部分６６２の間に位置されている。
【００４２】
第１部分６６１は、リング状の連結部分６６４を有している。移動部材６０１の先端部６２１の途中部分の外周囲部には、凹部６２１Ｈが形成されている。この連結部分６６４は、先端部６２１の凹部６２１Ｈにはめ込んで固定されている。すなわち、液密部材６１０のリング状の連結部分６６４は、開口部６５０に配置されており、移動部材６０１の外周囲部に連結されることで、移動部材６０１の外周囲部と開口部６５０の内周部との間を塞いで、しかも移動部材６０１の移動に伴って弾性変形することができる。これにより、第１部分６６１の連結部分６６４は、開口部６５０を閉鎖している。したがって、薬液や水分が、シリンジ本体保持部８Ｄの右側側面部８Ｖの壁部分８Ｈの外側から、開口部６５０と移動部材６０１を通じて、壁部分８Ｈの内部へ侵入するのを阻止している。
第２部分６６２は、リング状の縁部分６６５を有している。この縁部分６６５は、壁部分８Ｈの内面に密着している。これにより、縁部分６６５は、液密部材６１０が開口部６５０内から外側に向けて抜け出さないようする役割を有する。
第３部分６６３は、開口部６５０の突起部６５１に対してはめ込まれている。これにより、第３部分６６３は、液密部材６１０が開口部６５０内から外側に向けて、しかも内側に向けて抜け出さないようする役割を有する。
【００４３】
次に、本発明の実施形態のシリンジポンプ１の使用例を説明する。
医療従事者は、図３に示す複数種類のシリンジ２００，３００，４００の中から、例えば最も収容量の大きいシリンジ２００を選択して、図７に例示するように、シリンジ２００をシリンジポンプ１のシリンジ載置部６に対して固定する場合を、以下に説明する。
図７と図８（Ｂ）に示すように、シリンジ本体２０１は、収容部８のシリンジ本体保持部８Ｄ内に収容するとともに、図２に示すようにチューブ２０３をチューブ固定部９内にはめ込んだ状態で、シリンジ本体２０１をシリンジ本体保持部８Ｄ内にクランプ５を用いて固定する。これにより、図７に示すように、シリンジ本体２０１は、収容部８のシリンジ本体保持部８Ｄ内に確実に固定できる。
【００４４】
しかも、本体シリンジ２０９の一部分は、右側側面部８Ｖと本体フランジ押さえ部材５００の間に挟まれた状態で、本体フランジ押さえ部材５００が弾性変形する際の反発力により、平坦な右側側面部８Ｖと本体フランジ押さえ部材５００との間に挟まれて把持される。これにより、シリンジ２００は、本体フランジ２０９を用いて確実に位置決めして把持することができる。図７に示すように、シリンジ本体２０１がシリンジ載置部６の収容部８のシリンジ本体保持部８Ｄ内に収容して装着されると、シリンジ押子２０２がシリンジ押子駆動部７内に配置される。図４に示す制御部１００からの指令によりモータ１３３が駆動すると、このシリンジ押子押圧部材１０は、図２に示すシリンジ押子２０２の押子フランジ２０５を、シリンジ本体２０１に対して相対的にＴ方向に沿って少しずつ押す。これにより、シリンジ本体２０１内の薬液は、図２に示すチューブ２０３と留置針２０４を通じて、患者Ｐに対して高い精度で比較的長時間かけて送液することができる。
【００４５】
ところで、図８に示す移動部材６０１は、回転中心軸６２３を中心として、図８（Ａ）に示す後退した状態から、コイルスプリング６０２の力により、ＷＶ方向に回転して図８（Ｂ）に示す前進した状態に移行できる。
図８（Ａ）に示すように、本体フランジ２０９がはめ込まれていない状態では、移動部材６０１の他端部６２２は、フォトカプラセンサ２５０の発光素子２５１と受光素子２５２との間に入り込んでいる。このため、発光素子２５１からの光はこの他端部６２２により遮断されていて、発光素子２５１の光は受光部２５２には受光されない。
【００４６】
これに対して、図８（Ｂ）に示すように、本体フランジ２０９がはめ込まれて把持されている状態では、本体フランジ押さえ部材５００の突起部分５９９がＷＶ方向に移動しているので、移動部材６０１はコイルスプリング６０２の力により回転中心軸６２３を中心としてわずかに回転している。このため、移動部材６０１の他端部６２１は、フォトカプラセンサ２５０の発光素子２５１と受光素子２５２との間から離脱するので、発光素子２５１の光は受光素子２５２に受光される。発光素子２５１からの光は受光部２５２に受光されるので、受光部２５２は、受光信号ＲＳを制御部１００に送る。
図８（Ｂ）において、制御部１００は、この受光信号ＲＳを受けることにより、表示部３において、例えば「本体フランジ２０９を正しくはめ込んで把持し、シリンジ２００を装着できたこと」を表示させる。この場合に、制御部１００は、必要に応じて、同時にスピーカ１３１により、「本体フランジ２０９を正しくはめ込んで把持し、シリンジ２００を装着できたこと」を、音声ガイダンスしても良い。これにより、医療従事者は、シリンジ２００を正確に装着できたことを、情報表示と音声ガイダンスの少なくとも一方により確実に把握できる。
【００４７】
上述したように、図８に示すように例えばシリンジ２００の本体フランジ２０９が、はめ込まれた取り外される度に、移動部材６０１がＷＶ方向に移動したり、逆のＷＸ方向に移動するが、液密部材６１０は、移動部材６０１のこの移動に追従して弾性変形する。しかも、液密部材６１０は、開口部６５０と移動部材６０１と通じて薬液や水分が外部からシリンジ本体保持部８Ｄ内に侵入するのを阻止する。すなわち、筐体２の開口部６５０から筐体２内に薬液や水分が侵入するのを防止して薬液が筐体２内の要素に対して固着するのを阻止することができる。このため、液密部材６１０は、移動部材６０１があっても、収容部８の開口部６５０から収容部８内に液体が侵入するのを阻止することができ、薬液が本体内の要素に対して固着するのを阻止してシリンジポンプ１の動作に悪影響を生じるのを防げる。シリンジポンプ１が動作不良を起こす等の問題を回避できる。
【００４８】
本発明は、上記実施形態に限定されず、特許請求の範囲を逸脱しない範囲で種々の変更を行うことができる。
例えば、図９（Ａ）と図９（Ｂ）は、本発明の別の実施形態を示している。図９（Ａ）に示す本発明の別の実施形態では、図８に示す液密部材６１０に代えて、別の液密部材６１０Ａが開口部６５０Ａのはめ込み穴６５０Ｂにはめ込んで固定されている。この液密部材６１０Ａは、開口部６５０Ａと移動部材６０１の先端部６２１を覆うようにして配置されている。これにより、液密部材６１０Ａは、簡単な構造でありながら、薬液や水分が、シリンジ本体保持部８Ｄの右側側面部８Ｖの壁部分８Ｈの外側から、開口部６５０Ａと移動部材６０１を通じて、壁部分８Ｈの内部へ侵入するのを阻止している。
【００４９】
図９（Ｂ）に示す本発明の別の実施形態では、図８に示す液密部材６１０に代えて、別の液密部材６１０Ｒが開口部６５０Ｃのはめ込み穴６５０Ｄにはめ込んで固定されている。この液密部材６１０Ｒは、弾性変形可能なＯ−リングであり、移動部材６０１の外周囲に密着している。これにより、液密部材６０１Ｒは、開口部６５０Ｃ内に配置され、開口部６５０Ｃの内周面と移動部材６０１の外周面との間を液密状態に保持している。液密部材６１０Ｒは、簡単な構造でありながら、薬液や水分が、シリンジ本体保持部８Ｄの右側側面部８Ｖの壁部分８Ｈの外側から、開口部６５０Ｃと移動部材６０１を通じて、壁部分８Ｈの内部へ侵入するのを阻止している。
上記実施形態の各構成は、その一部を省略したり、上記とは異なるように任意に組み合わせることができる。
【符号の説明】
【００５０】
１・・・シリンジポンプ、２・・・筐体（本体）、６・・・シリンジ載置部、８・・・収容部、８Ｄ・・・シリンジ本体保持部、２００，３００，４００・・・シリンジ、２０１，３０１，４０１・・・シリンジ本体部、２０９，３０９，４０９・・・本体フランジ、５００・・・本体フランジ押さえ部材、５９９・・・本体フランジ押さえ部材の突起部分、６００・・・本体フランジ検出部、６０１・・・移動部材、６１０，６１０Ａ，６１０Ｒ・・・液密部材、６６４・・・連結部分、６５０，６５０Ａ，６５０Ｃ・・・開口部
【図１】
2013153863.tif 000003
【図２】
2013153863.tif 000004
【図３】
2013153863.tif 000005
【図４】
2013153863.tif 000006
【図５】
2013153863.tif 000007
【図６】
2013153863.tif 000008
【図７】
2013153863.tif 000009
【図８】
2013153863.tif 000010
【図９】
2013153863.tif 000011